(57)【要約】【課題】通水機能を維持しつつ、緑化領域の設置物に対する風の影響を減少させる緑化領域仕切構造を提供する。【解決手段】緑化領域Ａと非緑化領域Ｂとの間を仕切る緑化領域仕切構造１であって、緑化領域Ａの端部の側方に設置される仕切部材２０と、仕切部材２０に設けられており、緑化領域Ａと非緑化領域Ｂとを連通する通水部３０と、非緑化領域Ｂ側から通水部３０を通って緑化領域Ａ側に侵入する風を規制する風規制部４０とを有している。【選択図】図３
2019157339.tif 000002
【特許請求の範囲】
【請求項１】
緑化領域と非緑化領域との間を仕切る緑化領域仕切構造であって、
前記緑化領域の端部の側方に設置される仕切部と、
前記仕切部に設けられており、前記緑化領域と前記非緑化領域とを連通する通水部と、
前記非緑化領域側から前記通水部を通って前記緑化領域側に侵入する風を規制する風規制部とを有することを特徴とする緑化領域仕切構造。
【請求項２】
前記風規制部は、前記通水部の近傍で少なくともその一部が該通水部から離間した位置に形成されていることを特徴とする請求項１に記載の緑化領域仕切構造。
【請求項３】
前記風規制部は、前記通水部よりも前記非緑化領域側に形成されていないことを特徴とする請求項１又は２に記載の緑化領域仕切構造。
【請求項４】
前記風規制部は、少なくとも、前記通水部を通って侵入する風の方向を変える機能、該風の速度を落とす機能、及び該風の流量を減らす機能のうちの一つを有していることを特徴とする請求項１乃至３の何れかに記載の緑化領域仕切構造。
【請求項５】
前記風規制部は、前記通水部の少なくとも一部を前記緑化領域側と前記非緑化領域側との少なくとも一方に延長した構成であることを特徴とする請求項１に記載の緑化領域仕切構造。
【請求項６】
前記緑化領域には設置物が設置され、
前記緑化領域仕切構造には、前記通水部を通って侵入した風を上方及び緑化領域側の少なくとも一方に流す通気部が更に設けられ、
前記通気部の少なくとも一部は、前記仕切部に隣接して設置された設置物、若しくは前記仕切部の近傍に設置された設置物の上端よりも上方に形成されていることを特徴とする請求項１乃至５の何れかに記載の緑化領域仕切構造。
【請求項７】
所定の長さの前記緑化領域仕切構造に形成される全ての前記通気部の総開口面積が、前記所定の長さの前記緑化領域仕切構造に形成される全ての前記通水部の総開口面積以上であることを特徴とする請求項６に記載の緑化領域仕切構造。
【発明の詳細な説明】
【技術分野】
【０００１】
本発明は、緑化領域と非緑化領域との間を仕切る緑化領域仕切構造に関し、例えば、建築物の屋上、傾斜屋根、スラブ屋根、折板屋根、折板屋根上に部材を敷いて少なくとも一部を平坦化したもの、ベランダ、バルコニー等の人工地盤上に形成する緑化領域と非緑化領域との間を仕切る緑化領域仕切構造に関する。
【背景技術】
【０００２】
建築物の屋上、傾斜屋根、スラブ屋根、折板屋根、折板屋根上に部材を敷いて少なくとも一部を平坦化したもの、ベランダ、バルコニー等の人工地盤上に形成する緑化領域と非緑化領域との間を仕切る仕切構造に関する技術として、特許文献１の見切り材が知られている
【０００３】
この見切り材は、樹脂製防水層（床面）上の一部のエリアに、植物を植えた植栽マット（又はコンテナ状の緑化ユニット）等の緑化体を載置して形成された緑化領域と、その他の床面（非緑化領域）との境界部に設置されることで、緑化体の端部を隠すようになっている。また、この見切り材は、植栽マット（又はコンテナ状の緑化ユニット）等の緑化体の端部を保護すると共に、緑化設備全体の意匠性向上の効果も発揮している。
【０００４】
具体的には、上記の見切り材は、樹脂製防水層の表面に固着される平板状の水平部と、水平部に対して鉛直状に起立突設した平板状の鉛直部とを有しており、鉛直部により、植栽マット（又はコンテナ状の緑化ユニット）等の緑化体の端部が覆われて、当該端部が保護されるようになっている。
また、この見切り材の鉛直部には、緑化領域における潅水の余剰水や雨水等を非緑化領域に排水するための排水孔（通水孔）が開口されており、これにより、通水機能が発揮され、例えば、緑化領域に必要以上に水が溜まってしまうことを防止している。
【先行技術文献】
【特許文献】
【０００５】
【特許文献１】特開２００４−２４４９３２号公報
【発明の概要】
【発明が解決しようとする課題】
【０００６】
ところで、特許文献１に記載された見切り材の構成は、風が吹き付けられた場合に、通水孔を通って緑化領域側に風が吹き込んで、その風が緑化領域の設置物（例えば植栽ユニット等の緑化体）の端部に直接吹き当たること等が想定される。この場合、設置物に吹き付けられる風の力の大きさによっては、設置物（この場合は緑化体）の植物やその植物を育成している土壌等の育成材が乾燥し易くなったり、設置物のうち風が当たり易い部分だけが傷ついたり等、予想外の悪影響がもたらされる可能性も考えられる。
【０００７】
本発明は、上記課題に鑑みて提案するものであって、その目的は、緑化領域と非緑化領域との間を仕切る緑化領域仕切構造であって、通水機能を維持しつつ、緑化領域の設置物に対する風の影響を減少させる緑化領域仕切構造を提供することにある。
【課題を解決するための手段】
【０００８】
本発明の緑化領域仕切構造は、緑化領域と非緑化領域との間を仕切る緑化領域仕切構造であって、前記緑化領域の端部の側方に設置される仕切部と、前記仕切部に設けられており、前記緑化領域と前記非緑化領域とを連通する通水部と、前記非緑化領域側から前記通水部を通って前記緑化領域側に侵入する風を規制する風規制部とを有することを特徴とする。
【０００９】
この構成によれば、風規制部が通水部を通って侵入する風を規制（「通水部に入る前の非緑化領域側で風を規制」、「通水部内で風を規制」、「通水部を通り抜けた後の緑化領域側で風を規制」、又は「これらの任意の組み合わせで風を規制」）して、例えば緑化領域の設置物（例えば、植栽マット等の緑化体）に吹き付けられる風の力を減少させることができるため、通水部による水抜きの効果を維持しつつ、緑化領域の設置物に対する風の影響を減少させることができる。
【００１０】
また、前記風規制部は、前記通水部の近傍で少なくともその一部が該通水部から離間した位置に形成されていることが望ましい。
【００１１】
この構成によれば、風規制部の大きさ寸法が小さくても効率よく風を規制することができる。
【００１２】
また、前記風規制部は、前記通水部よりも前記非緑化領域側に形成されていないことが望ましい。
【００１３】
この構成によれば、風規制部が通水部よりも非緑化領域側に突出しないため、見栄えが良いだけではなく、歩行者の足等が風規制部にぶつかる様な事態を未然に回避することができる。
【００１４】
さらに、前記風規制部は、少なくとも、前記通水部を通って侵入する風の方向を変える機能、該風の速度を落とす機能、及び該風の流量を減らす機能のうちの一つを有していることが望ましい。
【００１５】
この構成によれば、これらの機能を単独で用いる、或いは任意に複数組み合わせることにより、緑化領域の設置物に吹き付けられる風の力を減少させることができる。
【００１６】
さらに、本発明の緑化領域仕切構造は、前記風規制部が、前記通水部の一部を前記緑化領域側と前記非緑化領域側との少なくとも一方側に延長した構成であることが望ましい。
【００１７】
この構成によれば、仕切部の正面視において通水部と重なる位置に風規制部を設けなくても、緑化領域の設置物に吹き付けられる風の力を減少させることができる。
【００１８】
さらに、前記緑化領域には設置物が設置され、前記緑化領域仕切構造には、前記通水部を通って侵入した風を上方及び緑化領域側の少なくとも一方に流す通気部が更に設けられ、前記通気部の少なくとも一部は、前記仕切部に隣接して設置された設置物、若しくは前記仕切部の近傍に設置された設置物の上端よりも上方に形成されていることが望ましい。
【００１９】
この構成によれば、仕切部と緑化領域の設置物（緑化体等）とが隣接する或いは近傍に位置するような場合であっても、通水部から入った風が通気部から容易に排出されるため、仕切部と設置物との間の空間に風の圧力がかかり難くなり、その結果、設置物（緑化体等）に対する風の影響を小さくできる。
【００２０】
さらに、本発明の緑化領域仕切構造は、所定の長さの前記緑化領域仕切構造に形成される全ての前記通気部の総開口面積が、前記所定の長さの前記緑化領域仕切構造に形成される全ての前記通水部の総開口面積以上であることが望ましい。
【００２１】
この構成によれば、風が入る側の総開口面積よりも出る側の総開口面積の方が大きくなるため、仕切部と設置物との間の空間により風の圧力がかかり難くなる。
【発明の効果】
【００２２】
本発明によれば、緑化領域と非緑化領域との間を仕切る緑化領域仕切構造であって、通水機能を維持しつつ、緑化領域の設置物に対する風の影響を減少させる緑化領域仕切構造を提供することができる。
具体的には、本発明によれば、風規制部により、通水部を通って緑化領域側に侵入してくる風が規制されるため、通水部による通水の効果を維持しつつ、緑化領域の設置物に対する風の影響を減少させることができる。
【図面の簡単な説明】
【００２３】
【図１】本発明の第１実施形態の緑化領域仕切構造を構成する仕切部を示した模式図であり、（ａ）が仕切部を斜め上方から視た模式図であり、（ｂ）が仕切部の側面を示した模式図であり、（ｃ）が仕切部の正面を示した模式図である。
【図２】本発明の第１実施形態の緑化領域仕切構造の平面を示した模式図である。
【図３】図２に示す緑化領域仕切構造の断面を示した模式図である。
【図４】本発明の第１実施形態の緑化領域仕切構造の変形例を示した模式図であり、（ａ）が第１実施形態の第１変形例を示した模式図であり、（ｂ）が第１実施形態の第２変形例を示した模式図であり、（ｃ）が第１実施形態の第３変形例を示した模式図であり、（ｄ）が第１実施形態の第４変形例を示した模式図であり、（ｅ）が第１実施形態の第５変形例を示した模式図であり、（ｆ）が第１実施形態の第６変形例を示した模式図であり、（ｇ）が第１実施形態の第７変形例を示した模式図であり、（ｈ）が第１実施形態の第８変形例を示した模式図である。
【図５】本発明の第１実施形態の緑化領域仕切構造の変形例を示した模式図であり、（ａ）が第１実施形態の第９変形例を示した模式図であり、（ｂ）が第１実施形態の第１０変形例を示した模式図であり、（ｃ）が第１実施形態の第１１変形例を示した模式図である。
【図６】本発明の第１実施形態の緑化領域仕切構造の第１２変形例を示した模式図であり、（ａ）が第１２変形例の緑化領域仕切構造の断面を示した模式図であり、（ｂ）が第１２変形例を構成する仕切部及び風規制部を斜め上方から視た模式図である。
【図７】本発明の第２実施形態の緑化領域仕切構造を構成する仕切部を示した模式図であり、（ａ）が仕切部を斜め上方から視た模式図であり、（ｂ）が仕切部の側面を示した模式図であり、（ｃ）が仕切部の正面を示した模式図である。
【図８】本発明の第２実施形態の緑化領域仕切構造の変形例を示した模式図であり、（ａ）が通気孔をネット等の固定部として利用させる場合の第１変形例を示した模式図であり、（ｂ）が通気孔をネット等の固定部として利用させる場合の第２変形例を示した模式図である。
【発明を実施するための形態】
【００２４】
以下、本発明の実施形態（第１〜２実施形態）の緑化領域仕切構造について図面に基づいて説明する。尚、本発明の緑化領域仕切構造は、以下の実施形態及びその変形例に限定されるものではない。
【００２５】
《第１実施形態》
本発明の第１実施形態の緑化領域仕切構造について、図１〜図３を用いて説明する。ここで、図１は、第１実施形態の緑化領域仕切構造を構成する仕切部を示した模式図であり、（ａ）が仕切部を斜め上方から視た模式図であり、（ｂ）が仕切部の側面を示した模式図であり、（ｃ）が仕切部の正面を示した模式図である。図２は、第１実施形態の緑化領域仕切構造の平面を示した模式図である。また、図３は、図２に示す緑化領域仕切構造の断面を示した模式図である。
【００２６】
先ず、第１実施形態の概略を説明する。
第１実施形態の緑化領域仕切構造１は、図２及び図３に示すように、人工地盤Ｇ上に緑化ユニット１０（設置物）を設置して形成された緑化領域Ａの端部の側方に設置された仕切部Ｃを有している。
【００２７】
具体的には、第１実施形態の緑化領域仕切構造１は、平面視正方形状の緑化ユニット１０（設置物）が碁盤目状に並べて設置され、全体として平面視矩形に形成された緑化領域Ａの端部（若しくは、端部から側方に離間した位置）に仕切部Ｃが設置されることで、緑化領域Ａとそれ以外の領域（非緑化領域Ｂ）との間を仕切っている。また、仕切部Ｃにより、緑化領域Ａの端部が保護されるようになっている。
【００２８】
また、緑化領域仕切構造１は、緑化領域Ａと非緑化領域Ｂとの間を仕切る仕切部材２０により形成された仕切部Ｃと、緑化領域Ａと非緑化領域Ｂとを連通する通水孔（通水部）３０（図１、３参照）と、非緑化領域Ｂ側から通水孔３０を通って緑化領域側Ａに侵入する風を規制する風規制部４０（図１、３参照）とを有している。
【００２９】
そして、第１実施形態の緑化領域仕切構造１の構成によれば、通水孔３０により、緑化領域Ａに必要以上に水が溜まってしまうことを防止している。また、風規制部４０が、通水孔３０を通って侵入する風を規制して、風を遮ると共に風の流れる方向を変えることにより、緑化領域Ａの設置物（緑化ユニット１０）の端部に吹き付けられる風の力を減少させている。
その結果、第１実施形態によれば、通水孔３０による水抜きの効果を維持しながら、緑化領域Ａの設置物（緑化ユニット１０）が受ける風の影響を減少させることができる。
【００３０】
次に、第１実施形態の緑化領域仕切構造１の緑化領域Ａについて説明する。
図３に示すように、緑化領域Ａに設置される緑化ユニット１０は、例えば平面視正方形状の底面１１の四辺から上方に側壁１２が立ち上がったコンテナ状に形成され（上面が開放した箱状に形成され）、内部に育成材１３が充填可能となっている。また、育成材１３には、植物１００が植栽されるようになっている。また、底面１１には、脚部１４が形成されている。
【００３１】
また、緑化ユニット１０において、平面視において側壁１２の上端で形成される四角形の四辺、すなわち側壁上端１２ａには、外方に突出する鉤形連係部１２ｂが形成されている。尚、この鉤形連係部１２ｂは、一方の隣り合う二辺が幅広の幅広連係部として形成され、他の隣り合う二辺が幅狭の幅狭連係部として形成されている。
【００３２】
これにより、緑化ユニット１０の幅狭連係部に隣の緑化ユニット１０の幅広連係部を上方から覆うようにして鉤形連係部１２ｂ同士を係合することにより、隣り合う緑化ユニット１０・１０相互が連係可能になっている。
【００３３】
また、側壁１２の側壁上端１２ａには、所定間隔で下方に向けて凹部１２ｄ（円弧状に凹んだ凹部１２ｄ）が形成されており、必要に応じて給水パイプやチューブ（図示せず）等をこの凹部１２ｄに納めるようにして緑化ユニット１０上に配置することができるようになっている。
【００３４】
そして、緑化ユニット１０内の育成材１３には、例えば種子を蒔く・切芝を敷設する・植栽マットを敷設する・植物の苗を施す等により植物１００が植栽される。尚、この育成材１３としては、例えばパーライト、バーミキュライト、ピートモス、バーク堆肥、チャフコン、木質腐朽有機物、ゼオライト、木炭、下水或いは浄水場から発生する汚泥、或いは汚泥の焼却灰、火山灰、竹炭等とすることができ、又、これらの内の数種類を選定し、これらを保水性、排水性を良好にするためにバランス良く配合したもの、若しくはこれらの数種類を層状に設けたもの、或いはこれらの単体で若しくは配合して固化しブロック状にした軽量育成材や、スポンジ、ロックウール、ウレタン、ヤシガラ等の繊維材等を結合してなるマット状の軽量育成材等としてもよい。
【００３５】
上記の緑化ユニット１０を、側壁１２の鉤形連係部１２ｂ同士を係合して、建築物の屋上、傾斜屋根、スラブ屋根、折板屋根、折板屋根上に部材を敷いて少なくとも一部を平坦化したもの、ベランダ、バルコニー等の人工地盤Ｇ（図示しない防水層や耐根層を形成したものや防水シートや耐根シートを敷設したもの等を含む人工地盤Ｇ）上に順次並べて敷設すると共に、その内部に育成材１３を充填し、必要に応じて側壁１２の所定の凹部１２ｄに図示しない給水パイプやチューブを配設した上で植物１００を植栽することで、人工地盤Ｇ上に緑化領域Ａが区画される。
【００３６】
次に、緑化領域Ａと非緑化領域Ｂとを仕切る仕切部Ｃの構成について説明する。
第１実施形態の仕切部Ｃは緑化ユニット１０の端部を覆うように配置され、少なくとも一つの仕切部材２０と、少なくとも一つの通水孔（通水部）３０とを有している。なお、仕切部Ｃは、例えば、金属や合成樹脂、石材、木材、モルタル、及びそれらの複合部材等により形成されている。
【００３７】
具体的には、仕切部Ｃを構成する仕切部材２０は、図１に示すように、緑化領域Ａの端縁に沿って配設される部材であり、人工地盤Ｇ等に載置される略平板状の仕切基部２１と、仕切基部２１の一端部側（非緑化領域Ｂ側の端部）から上方に向けて略直角に屈曲して延設された仕切側部２２（略平板状の仕切側部２２）とを有し、全体としては断面視で略Ｌ字形状に形成されている。そして、仕切部材２０は、必要に応じて、人工地盤Ｇに対して仕切基部２１を接着固定、粘着固定、アンカー固定等（仕切基部２１を長く形成して緑化ユニット１０と人工地盤Ｇの間に挟み込んで緑化ユニット１０の重量により固定するようなものも含む）により固定されることにより、全体が人工地盤Ｇ上に固定されるようになっている。
【００３８】
また、仕切部材２０は、仕切側部２２の上端部から緑化領域Ａ側（すなわち緑化ユニット１０が設置されている方向）に向けて略直角に屈曲して延設された仕切上部２３と、この仕切上部２３の緑化領域Ａ側の端部から下方に向けて略直角に屈曲して延設された突当部２４とを有し、緑化ユニット１０の敷設時に、緑化ユニット１０の端部をこの突当部２４に突き当てて設置できるようになっている。
なお、仕切上部２３は、その下面が仕切基部２１の上面と相対向して配置されている（仕切上部２３は、仕切基部２１と略平行に配置されている）。また、突当部２４は、仕切側部２２と略平行に配置されている。また、突当部２４は、その下端部が、仕切基部２１に対して、所定の長さ寸法離間している。図示する例では、突当部２４は、上下方向の長さ寸法が、仕切側部２２の上下方向の長さ寸法に対して「２／３」程度の長さ寸法になっている。すなわち、突当部２４の下端と仕切基部２１との間の距離を緑化ユニット１０の高さ寸法よりも小さくすることで、緑化ユニット１０の端部が突当部２４に突き当たるようになっている。
【００３９】
また、第１実施形態では、仕切部材２０の仕切側部２２の下端側（下方）に、緑化領域Ａと非緑化領域Ｂとを連通する孔（図示する例では、矩形の貫通孔）が形成され、この孔が通水孔３０になっている。これにより、例えば緑化領域Ａに降った雨水や潅水パイプ等からの吐出水のうち、緑化ユニット１０の育成材１３に吸収されなかったり溢れ出たりした余剰水等が、この通水孔３０を通って非緑化領域Ｂ側に排水できるようになされている。また、例えば、水上側の非緑化領域Ｂの人工地盤Ｇ上に降った雨水が緑化領域Ａ側に流下してきた場合に、この流下水が通水孔３０を通って緑化領域Ａ内に導入させると共に、水下側の通水孔３０を通って排水することもできる。すなわち、人工地盤Ｇ上に緑化領域Ａが形成されていても、仕切部材２０に通水孔３０が形成されていることにより、人工地盤Ｇ上の水の流れを仕切部材２０で堰き止めてしまうような事態を極力回避することができる。
【００４０】
また、第１実施形態では、仕切部材２０に、通水孔３０を通って非緑化領域Ｂ側から緑化領域Ａ側に侵入する風を規制する風規制部４０が形成されている。
風規制部４０は、例えば、通水孔３０よりも緑化領域Ａ側の位置で仕切基部２１から上方に向けて立設された風規制側部４１（略平板状の風規制側部４１）と、通水孔３０よりも上方の位置で仕切側部２２から緑化領域Ａ側に突設された風規制上部４２（略平板状の風規制上部４２）とにより形成されている。
なお、図示する例では、風規制上部４２は、その下面が、通水孔３０の上端部に沿って緑化領域Ａ側に延設されている。
なお、第１実施形態では、風規制部４０が仕切部材２０に一体に設けられていても良いし、別体で成る風規制部４０が、仕切部材２０に取り付けられて固定されていても良い。
【００４１】
また、上記の仕切基部２１から立設している風規制側部４１は、その一方面が通水孔３０と相対向する位置に配置されている（図示する例では、風規制側部４１が仕切側部２２と略平行に配置されている）。また、風規制側部４１は、この場合は、一方面の面積が通水孔３０の開口面積と同じ大きさになっているが、特にそれに限定されるものではない。
なお、図１の場合、風規制側部４１の上端と風規制上部４２の緑化領域Ａ側の端部とが一体に連結された構造となっているが（風規制部４０は断面視でＬ字状になっているが）、風規制側部４１と風規制上部４２とが連結されずに離間して配置されていても良い。
また、図１（ａ）では、一例として、仕切基部２１のうち、風規制上部４２と相対向する部分に、通水孔３０と連通する矩形の切欠（風規制上部４２と同じ形状（面積）の切欠）が形成されている場合を示している。これは、例えばプレス成形により風規制部４０を形成する場合に、風規制側部４１を容易に形作るための切欠であるが、必須のものではない。
【００４２】
これにより、仕切部材２０の通水孔３０を通って非緑化領域Ｂから緑化領域Ａに風が吹き込むような場合に、例えば侵入した風の大部分は、風規制側部４１及び風規制上部４２によって仕切部材２０の仕切側部２２に沿った方向（図１（ａ）、（ｃ）に示すＸ方向）の流れに変化する。その結果、緑化領域仕切構造１では、通水孔３０による通水の効果を維持しつつ、緑化領域Ａの設置物（例えば、緑化ユニット１０、その中に充填されている育成材１３、図示しない給水パイプやチューブ等）やその上に配置された植物１００、更には人工地盤Ｇ上の図示しない防水シートや耐根シートやその継ぎ目（これらシート類も広義の設置物と考えることもできる）に対して、侵入した風がそのまま吹き付けるような事態が減少されることになり、風の影響を減少させることになる。
また、通水孔３０を通って侵入してきた風のうち方向を変えられなかった分については、元の風に比べてその流量が減少すると共に、風規制側部４１及び風規制上部４２にぶつかり遮られた影響により風の速度も減少（減衰）するため、緑化ユニット１０の端部に吹き付けられたとしても、その風の力は大きく減少することになり、この点においても、緑化ユニット１０に対する風の影響は小さくなる。
【００４３】
また、第１実施形態の場合、風規制側部４１及び風規制上部４２によって風の流れが左右に分割されるため（分流されるため）、分割された風が異なる方向に流れるという点においても風の影響は減少するし、分割により一つの流れあたりの風の流量が減っているという点においても風の影響は減少することになる。
【００４４】
このようにして、第１実施形態の緑化領域仕切構造１では、通水孔３０を通って侵入した風の流れが、風規制側部４１及び風規制上部４２によって規制（風の流れの変化・分割・拡散、減衰、流量の減少等）されるため、通水孔３０による通水の効果を維持しつつも、緑化領域Ａの設置物等に対する風の影響を減少させることができる。
なお、風の拡散とは、風の方向の変化、速度の減衰、流量の減少が組み合わさった現象のことを云う。
【００４５】
《第１実施形態の変形例》
次に、第１実施形態の変形例を説明する。
なお、以下の変形例の説明では、上述した第１実施形態と同じ構成（及び相当する構成）には同じ符号を付し、その説明を簡略化或いは省略する。
【００４６】
具体的には、上述の第１実施形態においては、設置物としてのコンテナ状の緑化ユニット１０を用いて緑化領域Ａを形成するようにした場合について述べたが、これは一例に過ぎない。例えば、緑化領域Ａは、植物をマット状に一体形成した緑化マットや、多孔質状のセラミックス板に植栽した緑化基盤、それらを任意の大きさに切断したもの、さらには、客土（例えば仕切部材２０で枠を形成し、不織布や目の細かいネット等の土壌の流出を防止するような部材を介した上で、仕切部材２０で形成した枠の内側に育成材１３等を充填して植栽する）等により形成されても良い。
【００４７】
また、緑化領域Ａの全てが植栽されている必要はなく、例えばウッドデッキ、石材による通路、池用の水槽、外灯、ベンチ、机及びそれらに付随する備品等の他の設置物が緑化領域Ａ内に混在していても構わない。要は、仕切部材２０で形成した枠内の少なくとも一部に植栽が施されている構造であれば全て該当し効果が得られるものである。
【００４８】
さらに、緑化ユニット１０の形状も平面視正方形状に限らず、矩形・三角形・六角形・Ｌ字形状・円形状及びそれらの複合形状等何でも良く、その並べ方も、隙間無く碁盤目状に縦横に配置する他に、縦横の少なくとも一方に隙間をあけて配置したものや、その隙間に育成材１３等を充填したり、石材を設置したりするようなものであっても良い。そして、そのようにして形成された緑化領域Ａの形状も平面視矩形である必要はなく、設計に応じて様々な形状が可能である。
【００４９】
さらに、上述の第１実施形態においては、仕切部材２０が直線形状である場合について述べたが、これに限らず、曲線形状や出隅形状、入隅形状、それらの複合形状等、緑化領域Ａの形状に合わせた任意の形状が可能であるし、そこに形成される通水孔３０の寸法や形状、その単位長さあたりの個数等も適宜である。
【００５０】
さらに、上述の第１実施形態においては、仕切部材２０が、仕切基部２１、仕切側部２２、仕切上部２３及び突当部２４を有する構成である場合について述べたが、これに限らず、必須構成としては仕切側部２２が存在して緑化領域Ａの端部の側方に配置できるものであれば良い。
【００５１】
例えば、仕切部材２０としては、仕切上部２３と突当部２４を有せず仕切基部２１と仕切側部２２のみの構成であっても良い。また、例えば、仕切部材２０は、仕切基部２１が仕切側部２２より非緑化領域Ｂ側にも延設している構成や、仕切基部２１が仕切側部２２よりも緑化領域Ａ側に延設されず非緑化領域Ｂ側のみに延設されている構成であっても良い。また、例えば、仕切部材２０は、幅の広い仕切側部２２が単独で立設している構成であっても良い。また、例えば、仕切部材２０は、仕切基部２１が存在しない仕切部材２０の仕切上部２３を緑化ユニット１０の上端に固定する構成であっても良い。すなわち、仕切部材２０は、緑化領域Ａと非緑化領域Ｂを連通する通水部（通水孔３０）が仕切側部２２に形成されている、若しくは通水部（通水孔３０）が仕切側部２２（仕切部材２０）に隣接して設けられるような構成であれば良く、そこに風規制部４０と同等の構造を設けることで上述の第１実施形態と同様の効果を得ることができる。
【００５２】
さらに、上述の第１実施形態においては、仕切部材２０の突当部２４に対して緑化ユニット１０を突き当てるようにした場合（緑化領域Ａの端部を仕切部Ｃで完全に覆うようにした場合）について述べたが、これに限らず、緑化ユニット１０の端部と突当部２４との間に空間を設けるようにしても良い（僅かに離間しつつも緑化領域Ａの端部を仕切部Ｃで一部覆っているような場合や、覆っているとは必ずしも言い難い程に離間している場合等を含む）。また、上述した第１実施形態の仕切部材２０と比べて、仕切上部２３からの突当部２４の下垂長さを短く形成し、緑化ユニット１０を突当部２４の下に潜り込ませて仕切側部２２に突き当てるようにしても良いし、緑化ユニット１０を突当部２４の下に潜り込ませた上で仕切側部２２との間に空間を設けるように設置しても良い。すなわち、仕切部材２０と緑化ユニット１０との位置関係は適宜設定されるものである。
【００５３】
さらに、上述の第１実施形態においては、風規制部４０が仕切部材２０に一体に設けられている、若しくは取り付けられているようにした場合について述べたが、これに限らず、風規制部４０が仕切部材２０と別体として設けられた構成であっても良い。
【００５４】
さらに、上述の第１実施形態においては、風規制部４０が通水孔３０よりも緑化領域Ａ側に設けられるようにした場合について述べたが、非緑化領域Ｂ側に風規制部４０を設けるようにしても良い。
この場合、仕切基部２１を仕切側部２２よりも非緑化領域Ｂ側まで延設することで、風規制部４０を非緑化領域Ｂ側に設けても良いし、或いは、風規制部４０と同等な構造を仕切側部２２から非緑化領域Ｂ側に突設させても良い。或いは、仕切部材２０とは別体の風規制部４０を仕切部材２０の非緑化領域Ｂ側に設けるようにしても良い。この場合、仕切側部２２の通水孔３０を通った風が「通水孔３０よりも緑化領域Ａ側に設けられている風規制部４０」により規制（風の流れの変化・分割・拡散、減衰、流量の減少等）されるのではなく、「通水孔３０よりも非緑化領域Ｂ側に設けられている風規制部４０」によって規制された後の風（の残り）が通水孔３０を通って通水孔３０より緑化領域Ａ側に入ることになるが、結果的には、第１実施形態と同等の効果を得ることができる。
【００５５】
さらに、上述の第１実施形態においては、通水孔３０の寸法と風規制側部４１の形状が略同一である場合について述べたが、風規制側部４１は通水孔３０よりも大きくても良いし、小さくても良く、また形状も同一や相似形であっても良いし異なっていても良い。要は、必要な通水性能と風規制の程度とに合わせて適宜選定が可能である。
【００５６】
さらに、上述の第１実施形態においては、風規制部４０が風規制側部４１及び風規制上部４２を備えた構成であったが、これに限らず、図４に示す各変形例（第１〜第８変形例）のように、風規制部の構成を変形しても良い。
【００５７】
ここで、図４は、第１実施形態の緑化領域仕切構造の変形例を示した模式図であり、（ａ）が第１実施形態の第１変形例を示した模式図であり、（ｂ）が第１実施形態の第２変形例を示した模式図であり、（ｃ）が第１実施形態の第３変形例を示した模式図であり、（ｄ）が第１実施形態の第４変形例を示した模式図であり、（ｅ）が第１実施形態の第５変形例を示した模式図であり、（ｆ）が第１実施形態の第６変形例を示した模式図であり、（ｇ）が第１実施形態の第７変形例を示した模式図であり、（ｈ）が第１実施形態の第８変形例を示した模式図である。
【００５８】
図４（ａ）に示す第１変形例では、仕切部材２０に対して、上述した「風規制側部４１及び風規制上部４２」をアーチ状に一体に連結した形状にした風規制部１４０が設けられた構成になっている。
具体的には、風規制部１４０は、仕切側部２２の通水孔３０よりも上方の位置から一方側（緑化領域Ａ側）で且つ下方に向けてアーチ状に延びて、仕切基部２１まで到達する風規制アーチ部１４３を有している。図示する例では、風規制アーチ部１４３の横幅寸法が、通水孔３０の横幅寸法と同じか或いは僅かに大きい大きさに形成されている。
この場合においても、上述の第１実施形態と同等の効果を得ることができる。
【００５９】
また、図４（ｂ）に示す第２変形例では、仕切部材２０に対して、上述した「風規制上部４２」を斜め下方向に傾けて配置した形状に形成された風規制部２４０が設けられた構成になっている。
具体的には、風規制部２４０は、仕切側部２２の通水孔３０よりも上方の位置から一方側（緑化領域Ａ側）で且つ斜め下方に向けて延びる風規制斜片部２４３を有している。なお、風規制斜片部２４３は、その下端（自由端）が、仕切基部２１と所定寸法離間している。
この場合においても、上述の第１実施形態と同等の効果を得ることができる。また、第２変形例によれば、通水孔３０から入ってきた風の流れは、左右に分割されるだけでなく、風規制斜辺部２４３の下端と仕切基部２１との間の隙間を通って水平方向に拡散されることになる。さらには、風規制斜辺部２４３の長さ寸法や傾斜角度を変更することで、必要な通水性能と風規制の程度を任意に調整することもできる。
【００６０】
また、図４（ｃ）に示す第３変形例では、仕切部材２０に対して、上述した「風規制上部４２」を設けず風規制側部４１のみで構成された風規制部３４０が設けられた構成になっている。この場合、通水孔３０から入ってきた風の流れは、左右だけでなく、仕切側部２２に沿った方向に拡散されることになる。なお、風規制側部４１の立設角度は適宜変更可能である。
【００６１】
また、図４（ｄ）に示す第４変形例のように、仕切部材２０に、第３変形例の風規制側部４１の寸法を大きくし、且つ第３変形例と比べて緑化領域Ａ側に離して配置された風規制部４４０が設けられた構成にしても良い。
具体的には、風規制部４４０は、仕切基部２１のなかの、通水孔３０よりも緑化領域Ａ側の位置であり、且つ第３変形例の風規制側部４１よりも緑化領域Ａ側に離れた位置において、仕切基部２１から上方に向けて立設された略平板状の風規制側部４４１を有している。
この場合、通水孔３０から入ってきた風の流れが、左右だけでなく仕切側部２２に沿った方向に拡散されるのは上述の第３変形例の風規制部３４０と同じであるが、仕切側部２２と風規制側部４４１との間に広い空間が確保されているため、拡散された風が通る空間の断面積が拡大されることになり、その結果、拡散後の風の勢いがより減少することとなる。
【００６２】
すなわち、風の流れを変えたり、分割したり、拡散させたりするのに必要な風規制側部４４１の寸法というものは、風規制側部４４１と仕切側部２２との距離が近い程（近傍な程）、小さくても所望の効果が得られるものであり、遠くなる程、大きくしないと所望の効果が得られないものである。その一方、風規制側部４４１により流れを変えたり、分割したり、拡散させたりした後の風の力（勢い、速度）というものは、風規制側部４４１と仕切側部２２との距離が近い程減衰し難く、遠い程より減衰するものである。この関係は、本変形例（第４変形例）だけでなく、第１及び第２実施形態や他の変形例においても同様である。
【００６３】
また、図４（ｅ）に示す第５変形例では、仕切部材２０に対して、風を減衰させる細孔の風減衰孔５４１ａが穿設された風規制側部５４１を有する風規制部５４０が設けられた構成になっている。
具体的には、風規制部５４０は、仕切基部２１のなかの、通水孔３０の近傍の位置において、仕切基部２１から上方に向けて立設された略平板状の風規制側部５４１を有している。また、風規制側部５４１は、仕切側部２２の通水孔３０を覆うかのように（相対向するように）配置されていると共に、その表裏面を貫通する、複数の風減衰孔５４１ａが穿設されている。
【００６４】
この第５変形例では、通水孔３０から入ってきた風の流れが、左右だけでなく仕切側部２２に沿った方向に拡散されるのは上述の風規制部３４０、４４０と同じである。さらに、第５変形例では、風減衰孔５４１ａが形成されているため、この風減衰孔５４１ａを通過することによっても風の速度は落ち、流量も減少する（すなわち、風の力が減衰する）る。
なお、第５変形例において、風を減衰させるための構造は、風減衰孔５４１ａのような細孔だけでなく、スリット状であっても良いし、そのような構造を設ける位置も風規制部５４０の風規制側部５４１に限らず、風が当たる部位であればどこでも良く、当然ながら、第１、２実施形態や他の変形例の構成に適用しても良い。
【００６５】
また、図４（ｆ）に示す第６変形例では、仕切部材２０の仕切基部２１に、複数の風規制柱部６４４を有する風規制部６４０が設けられた構成になっている。
具体的には、風規制部６４０は、仕切基部２１のなかの、通水孔３０の近傍の位置において（通水孔３０からみて緑化領域Ａ側の位置において）、仕切基部２１から上方に立設され柱状（図示する例では円柱状）をなす、複数の風規制柱部６４４を有している。
第６変形例においては、通水孔３０から入ってきた風の流れが、複数の風規制柱部６４４により細かく分割されると共に方向が変えられ、分割後のそれぞれの風の流量が減少した上で速度も落ちる（すなわち、拡散される）ことになる。
【００６６】
また、図４（ｇ）に示す第７変形例では、仕切部材２０に対して、通水孔３０に連通すると共に、通水孔３０を緑化領域Ａ側に延長したトンネル状に形成された風規制部７４０Ａが設けられた構成になっている。
具体的には、風規制部７４０Ａは、仕切側部２２の通水孔３０よりも上方の位置から一方側（緑化領域Ａ側）に向けて、且つ仕切基部２１と平行に延びる風規制上部７４２と、風規制上部７４２の左右両側から下方に屈曲して仕切基部２１まで延びる風規制側部７４３ａ・７４３ａとを備えている。また、風規制上部７４２は、その横幅寸法が、通水孔３０の横幅寸法と同じか或いは僅かに大きい大きさに形成されている。また、トンネル状に形成された風規制部７４０Ａは、その内周面が、通水孔３０の孔面に沿って延設されており、断面視コの字状になっている。
この構成によれば、風が風規制部７４０Ａの内部を通過する際に風の速度が落ちる（減衰する）ことになる。すなわち第７変形例では、通水孔３０から入ってきた風の流れる方向や流量は変わらないが、風の速度（勢い）が減じる（減衰する）ため、緑化領域Ａの設置物等に対する風の影響を減少させることができる。
【００６７】
さらに、図４（ｇ）に示す第７変形例を、図４（ｈ）に示す第８変形例の風規制部７４０Ｂのように、通水孔３０の一部のみが緑化領域Ａ側に延長されたような、断面視コの字状のトンネル形状に変形しても良い。
具体的には、風規制部７４０Ｂは、上述した第７変形例と同様の風規制上部７４２と、風規制上部７４２の左右両側から下方に屈曲して延びる風規制側部７４３ｂ・７４３ｂとを備えている。
【００６８】
また、風規制側部７４３ｂ・７４３ｂは、その先端側（自由端側）の部分だけが、仕切基部２１まで延設されており、先端側以外の部分は、その下端にスリット部７４３ｂ１が形成されて、仕切基部２１と所定寸法離間した構成になっている。この構成によっても、風が風規制部７４０Ｂの内部を通過する際に風の速度（勢い）が減じる（減衰する）ことになる。
なお、上記のスリット部７４３ｂ１は、通水孔３０と連通しており、通水孔３０の通水機能を補助するサブ通水孔になっている。また、スリット部７４３ｂ１により、通水孔３０から入ってきた風の流れが分割・拡散されることになる。
【００６９】
なお、第７変形例及び第８変形例に示したトンネル形状は、あくまでも一例に過ぎない。要は、通水孔３０から入った風の流れる断面積がなるべく大きく広がらないように制限する構造が設けられているのであれば、その構造を風が通過する際に速度が減じる効果が発揮される。
また、第７変形例及び第８変形例では、いずれも、仕切部材２０に対して、通水孔３０を緑化領域Ａ側に延長したトンネル状に形成された風規制部（７４０Ａ、７４０Ｂ）を設ける構成を採用しているが特にこれに限定されるものではない。例えば、仕切部材２０に対して、通水孔３０を非緑化領域Ｂ側に延長したトンネル状に形成された風規制部（７４０Ａ、７４０Ｂ）を設ける構成であっても良いし、緑化領域Ａと非緑化領域Ｂの両方側に延長させても良い。
【００７０】
さらに、上述の第１実施形態においては、通水部として通水孔３０を採用した場合について述べたが、通水部が必ずしも孔である必要はなく、図５に示す各変形例（第９〜第１１変形例）のように構成されていても良い。
【００７１】
ここで、図５は、第１実施形態の緑化領域仕切構造の変形例を示した模式図であり、（ａ）が第１実施形態の第９変形例を示した模式図であり、（ｂ）が第１実施形態の第１０変形例を示した模式図であり、（ｃ）が第１実施形態の第１１変形例を示した模式図である。
【００７２】
具体的には、図５（ａ）に示す第９変形例の仕切部材１２０では、仕切側部２２の下方から仕切基部２１の一端部側（非緑化領域Ｂ側の端部）を通って他端部側（緑化領域Ａ側の端部）まで連通する一連の切り欠き１３０が設けられ、この切り欠き１３０が通水部として機能するように構成されている。この場合、仕切側部２２の下方に位置する切り欠き１３０の奥行部分１３０ａと人工地盤Ｇとによって形成された開口状の部分（便宜的に開口部分１３０ｂと云う）を塞ぐかのように（相対向するように）、上述した図４（ｂ）に示した風規制部２４０を設けるようにすれば、上述の第１実施形態や変形例と同等の効果を得ることができる。
【００７３】
尚、風規制部２４０は、仕切側部２２における奥行部分１３０ａよりも上方の位置から緑化領域Ａ側で且つ斜め下方に向けて延びる風規制斜片部２４３を有する風規制部２４０が設けられている。
【００７４】
また、図５（ｂ）に示す第１０変形例では、厚み寸法の大きい仕切側部２２２を有する仕切部材２２０の端部同士を僅かに離間させて配置することでスリット２３０を形成している。また、仕切部材２２０におけるそのスリット２３０の緑化領域Ａ側の露出部分の少なくとも一部を塞ぐかのように風規制部８４０が設けられている。
この場合、スリット２３０が通水部として機能する一方で、そのスリット２３０を通って非緑化領域Ｂ側から緑化領域Ａ側に入ってくる風は、風規制部８４０により流れる方向が変化させられるため、通水機能は確保しつつも風の影響を減少させることができる。
【００７５】
尚、仕切側部２２２は、少なくとも、長方形の上壁部２２２ａと、上壁部２２２ａの長手方向・両側から下方に向けて略直角に屈曲して延びる側壁部２２２ｂ・２２２ｂと、上壁部２２２ａの短手方向・両側から下方に向けて略直角に屈曲して延びる側壁部２２２ｃ・２２２ｃとを有している。そして、仕切部材２２０の端部同士を僅かに離間させて配置した際に、仕切側部２２２の短手方向の側壁部２２２ｃ同士が相対向し、且つ僅かに離間して配置されることでスリット２３０が形成されるようになっている。
【００７６】
また、仕切部材２２０には、緑化領域Ａ側の側壁部２２２ｂの端部に、スリット２３０を覆うかのように配置された風規制部８４０が設けられている。風規制部８４０は、この場合は断面視で略Ｚ形に形成されており、仕切部材２２０の側壁部２２２ｂの長手方向・端部において、その上端から下端に沿って延設されている脚片８４０ａと、脚片８４０の端部から一方（緑化領域Ａ側）に向けて略直角に屈曲し、且つスリット２３０に沿うように延びる第１風規制片８４０ｂと、第１風規制片８４０ｂの先端部からスリット２３０を覆う方向に向けて略直角に屈曲して延びる第２風規制片８４０ｃとを有しているが、風規制部として機能するのであれば略Ｚ形に限らず他の形状でも良い。
【００７７】
また、図５（ｃ）に示す第１１変形例の仕切部材３２０のように、一対の仕切側部３２２（３２２ａ・３２２ｂ）を有する構成であっても良い。
具体的には、仕切部材３２０は、矩形板状の仕切上部３２３と、仕切上部３２３の長手方向・両側から下方に向けて略直角に屈曲して延びる一対の仕切側部３２２（３２２ａ・３２２ｂ）とを有している。また、一対の仕切側部３２２の下端部には、いずれも、他方の仕切側部３２２に向けて略直角に屈曲して延びる脚片３２５（３２５ａ、３２５ｂ）が形成されている。
そして、仕切部材３２０は、例えば、仕切側部３２２ａが緑化領域Ａ側に配置され、仕切側部３２２ａが非緑化領域Ｂ側に配置されて利用されるように設計されている。また、仕切側部３２２ａの下端部側には通水孔３３０ａが設けられ、仕切側部３２２ｂの下端部側には通水孔３３０ｂが設けられている。
【００７８】
さらに、本変形例の仕切部材３２０の場合、緑化領域Ａ側の仕切側部３２２ａに設けられた通水孔３３０（３３０ａ）と、非緑化領域Ｂ側の仕切側部３２２ｂに設けられた通水孔３３０（３３０ｂ）の位置がずれている（仕切部材３２０の長手方向に対して、位置がずれている）。すなわち、通水孔３３０ａに対しては仕切側部３２２ｂが風規制部として機能し、通水孔３３０ｂに対しては仕切側部３２２ａが風規制部として機能するようになっている。換言すれば、通水孔３３０ａと通水孔３３０ｂとがずれていること、つまりは通水部が曲がって形成されていることが風規制部として機能するようになっている。
【００７９】
なお、上述した図５（ｂ）に示した第１０変形例においても、第１１変形例のように、仕切部材２２０のスリット２３０が平面視において一対の側壁部２２２ｂ・２２２ｂに挟まれた範囲の中で折れ曲がったり円弧を描くように、仕切側部２２２の端面（側壁部２２２ｃ）を予め形成してやれば、通水部としてのスリット２３０が曲がって形成され、その結果、このスリット２３０そのもの（もしくはスリット２３０の中の一部分）が風規制部として機能することとなる。
【００８０】
また、上述の第１実施形態では、人工地盤Ｇ上に単独のコンテナだけで形成された緑化ユニット１０を設置して緑化領域Ａを形成する場合について述べたが、図６に示す第１２変形例のように、例えば貯水トレー７０の上に植栽コンテナ８０を載置した底面潅水タイプの緑化ユニット１１０を並べることにより形成された緑化領域Ａにおいて、以下のように通水部を形成するようにしても良い。
【００８１】
ここで、図６は、第１実施形態の緑化領域仕切構造の第１２変形例を示した模式図であり、（ａ）が第１２変形例の緑化領域仕切構造の断面を示した模式図であり、（ｂ）が第１２変形例を構成する仕切部及び風規制部を斜め上方から視た模式図である。
【００８２】
第１２変形例の緑化領域仕切構造では、植栽コンテナ８０の端部の縁から垂下するようにして仕切部材４２０を設置し、通水部として、仕切部材４２０の下端と人工地盤Ｇとの間の隙間４３０を利用するようにしている。
この場合、仕切部材４２０とは別部材でなる断面視で略Ｌ字形状の風規制部９４０を、例えば仕切部材４２０よりも緑化領域Ａ側に適宜設置することで、隙間４３０を通って緑化領域Ａ側から非緑化領域Ｂ側へ入り込む風を規制するようにしている。
【００８３】
具体的には、第１２変形例においては、仕切部Ｃは、植栽コンテナ８０の上端部から垂下するようにして設置された仕切部材４２０と、仕切部材４２０の下端と人工地盤Ｇとの間の隙間４３０により形成された通水部とを有している。また、第１２変形例の緑化領域仕切構造は、仕切部Ｃとは別体で、仕切部材４２０よりも緑化領域Ａ側（非緑化領域Ｂ側でも良い）に設置された風規制部９４０を有している。
【００８４】
なお、上記の仕切部材４２０は、植栽コンテナ８０の上端部に係止・固定される仕切上部４２３と、仕切上部４２３から下方に向けて延設され且つ植栽コンテナ８０の上端部から垂下するようにして設置される仕切側部４２２とを有している。そして、仕切側部４２２が、底面潅水タイプの緑化ユニット１１０の端部を覆っている。
また、仕切側部４２２は、その下端が、人工地盤Ｇよりも上方に配置されるように設計されており、仕切側部４２２の下端と、人工地盤Ｇとの間に、隙間４３０が形成されるようになっている。また、仕切上部４２３は、植栽コンテナ８０の上端部に係止されて取り付けられる段差部が形成されている。
尚、仕切側部４２２の下端縁に例えば略かまぼこ型の切り欠きを形成し、仕切側部４２２の下端縁が人工地盤Ｇに接するように配置して、略かまぼこ型の切り欠きを通水部として使用するようにしても良い。
【００８５】
また、この場合、風規制部９４０を逆向きに設置しても良いし、仕切部材４２０よりも非緑化領域Ｂ側に設置しても良い。そして、このような別部材の風規制部９４０を、他の構造により人工地盤Ｇとの間に通水用の隙間（通水部）を形成するような仕切部材に対して適用するようにしても良い。
【００８６】
《第２実施形態》
次に本発明による第２実施形態の緑化領域仕切構造２について、図７を用いて説明するが、上述した第１実施形態及びその変形例と同じ構成（及び相当する構成）には同じ符号を付しており、その説明を簡略化或いは省略する。
【００８７】
図７は、第２実施形態の緑化領域仕切構造を構成する仕切部を示した模式図であり、（ａ）が仕切部を斜め上方から視た模式図であり、（ｂ）が仕切部の側面を示した模式図であり、（ｃ）が仕切部の正面を示した模式図である。
【００８８】
第２実施形態の緑化領域仕切構造２は、人工地盤Ｇ上に緑化ユニット１０（設置物）を設置して形成された緑化領域Ａの端部の側方に設置された仕切部Ｃを有している。
【００８９】
図７に示すように、第２実施形態の仕切部Ｃを構成する仕切部材５２０は、第１実施形態の仕切部材２０（仕切基部２１・仕切側部２２・仕切上部２３・突当部２４）、通水孔３０及び風規制部４０に加えて、さらに、通気部としての通気孔２５を有している。
【００９０】
具体的には、上記の仕切部材５２０は、仕切基部２１と、仕切基部２１の一端部側（非緑化領域Ｂ側の端部）から上方に向けて略直角に屈曲して延設された仕切側部２２と、仕切側部２２の上端部から緑化領域Ａ側に向けて略直角に屈曲して延設された仕切上部２３と、この仕切上部２３の緑化領域Ａ側の端部から下方に向けて略直角に屈曲して延設された突当部２４とを有している。
また、仕切部材２０は、仕切側部２２の下方に通水孔３０が形成されていると共に、通水孔３０を通って非緑化領域側Ｂから緑化領域Ａ側に侵入する風を規制する風規制部４０を有している。
【００９１】
さらに、突当部２４の上部側には、風等を通す通気孔２５が形成されている。この通気孔２５は、例えば、仕切部材５２０に隣接して設置された設置物（緑化ユニット１０等の設置物）の上端よりも上方の位置に形成されている。
【００９２】
また、上記の通気孔２５は、図７（ａ）、（ｃ）に示すように、一例として、突当部２４の上部側に横長の矩形孔として形成されており、正面視で通水孔３０と略同じ水平位置に通水孔３０と同じ数だけ設けられている。すなわち、通気孔２５は、突当部２４の上部側の位置であり、且つ仕切部材５２０の長手方向（図中のＸ方向）において、通水孔３０と略同じ位置に、通水孔３０に対応するように設けられている。また、図示する例では、４つ通水孔３０に対して、それぞれ、対応する通気孔２５が設けられている（４つの通気孔２５が設けられている）。
【００９３】
第２実施形態の緑化領域仕切構造２では、仕切部材５２０の突当部２４に対して緑化ユニット１０等の緑化体が密着したり近傍に配置されているような場合に、通水孔３０から風が吹き込むと、風規制部４０により風の流れ等が規制されるだけでなく、通気孔２５から風が逃げるようになる。すなわち、この構成によれば、通水部３０を介して侵入した風の一部は、緑化領域Ａにある緑化ユニット１０等の緑化体の上端よりも上方に位置する通気孔２５を通って、垂直方向・上側に向けて、或いは、緑化ユニット１０の上方側において緑化領域Ａ側に向けて流れるようになる。
【００９４】
そのため、第２実施形態によれば、仕切部材５２０と緑化ユニット１０との間における風圧が低下することになる。従って、緑化領域Ａの設置物（緑化体等）やその範囲に設けられた下地材（防水シートや耐根シート等、その継ぎ目）に対する風圧の影響を小さくすることができる。
【００９５】
尚、上述の第２実施形態においては、通気孔２５を突当部２４の上部に横長の矩形孔として形成した場合について述べたが、これに限らず、孔の形状は何でも良い。また、通気孔２４の位置も通水孔３０から入った風が抜けることができる位置であれば、例えば突当部２４の他の位置や仕切上部２３等、どこに形成されていても構わない。すなわち、通気孔２５の少なくとも一部が育成材１３（或いは緑化ユニット１０の上端）よりも上方の位置に形成されていれば、風抜けの効果が得られる。また、仕切部材５２０の正面視において、通水孔３０と通気孔２５の左右の位置が一致していれば、通水孔３０から入った風が通気孔２５から比較的抜けやすいという効果がある。その一方で、仕切部材５２０の正面視において、通水孔３０と通気孔２５の左右の位置をずらして設けることで、仕切部材５２０の強度、特に仕切部材５２０を上から押圧した際の強度を向上することができるという効果がある。
【００９６】
また、仕切部材５２０と緑化領域Ａとの間において風の力がかかり易いような部分（例えば、出隅や入隅部分、梁やリブ等の補強が設けられている部分、通水孔３０の近傍等）においては、他の位置に設けるよりも通気孔２５からの風抜けの効果がより顕著となる。
【００９７】
《第２実施形態の変形例》
次に、第２実施形態の変形例を説明する。
なお、以下の第２変形例の説明では、上述した第１実施形態、第１実施形態の変形例及び第２実施形態と同じ構成（及び相当する構成）には同じ符号を付しており、その説明を省略している。
【００９８】
具体的には、第２実施形態においては、通気孔２５の孔の大きさや設置数について特に限定していないが、例えば、所定の長さの仕切部材５２０（緑化領域仕切構造２（仕切部Ｃ））に形成されている全ての通気孔２５の総開口面積が、所定の長さの仕切部材５２０（緑化領域仕切構造２（仕切部Ｃ））に形成されている全ての通水孔３０の総開口面積以上になっていても良い。この場合、通水孔３０から吹き込む風が比較的容易に通気孔２５から抜けることになり、その点で効果的である。
【００９９】
さらに、上述の第２実施形態においては、通気部として孔形状の通気孔２５を適用した場合について述べたが、これに限らず、通気部が、例えば突当部２４の上部から形成されて下端で開口するようなスリット形状であっても良いし、緑化ユニット１０の上部との間に隙間が形成されるように突当部２４の下端までの長さを調整し、その隙間を通気部としても良い。
【０１００】
さらに、上述の第２実施形態においては、仕切部Ｃ（仕切部材５２０）に風規制部４０と通気部（通気孔２５）の両方を形成するようにした場合について述べたが、特にこれに限定されるものではない。例えば、第２実施形態において、風規制部４０を設けず通気孔２５だけ設けるようにしても良い。この場合でも、仕切部材５２０の突当部２４に対して緑化ユニット１０が密着したり近傍に配置されているような場合に、通水孔３０から風が吹き込むと、通気孔２５から風が逃げて仕切部材５２０と緑化ユニット１０との間における風圧が低下することになり、緑化領域Ａの設置物（緑化体等）に対する風圧の影響を小さくすることができる。すなわち、風規制部４０と通気孔２５とは風に対してそれぞれ独立に機能するものである。
【０１０１】
さらに、上述の第２実施形態における風規制部４０と通気孔２５を、ネット等の固定部として使用しても良い。具体的に言うと、人工地盤上に緑化領域Ａを形成する場合には、植物が根付くまでの養生期間や鳥（カラス等）害防止等のため、緑化領域Ａの上にネット等を被せることがあるが、そのネットを風規制部４０や通気孔２５に直接縛り付けたり、風規制部４０や通気孔２５を利用して固定するようにすれば容易である。
尚、通気孔２５に直接縛りつける際には、例えば図８（ａ）に示すように、突当部２４に、二つの通気孔２５ａ・２５ｂを近接配置するように形成しても良い。この場合、一方の通気孔２５ａから他方の通気孔２５ｂに紐等を通してネットと一緒に縛るようにすれば、作業が容易になる。
また、例えば図８（ｂ）に示すように、通気孔２５を形成する際の切り起こし部分を庇部２６として形成しても良い（通気孔２５よりも上方の位置で突当部２４から緑化領域Ａ側に突設された略板状の庇部２６を形成しても良い）。この場合、この庇部２６に対してネットをビス留め（予め雌ネジを形成しておいても良いし、ビスで直に留めつけても良い）するようにすれば、容易に固定できる。さらに、図示するように、仕切部材５２０の仕切上部２３と庇部２６との間に段差を形成しておけば、ビス留めした際のビスの頭が仕切上部２３よりも上方に突出しない（若しくは、突出量を減らす）ようにできる。
【０１０２】
以上、本発明の第１及び第２実施形態及びその変形例の緑化領域仕切構造について説明したが、本発明はこれに限定されず、本発明を実施できる範囲であれば、実施形態やその変形例の各構成を適宜変更した形態や、実施形態や変形例の各構成を部分的に抽出した形態や、実施形態や変形例の各構成の一部又は全部を任意に抽出して組み合わせた形態についても広く包含するものである。
【符号の説明】
【０１０３】
Ａ…緑化領域
１０…緑化ユニット
１１…底面
１２…側壁
１２ａ…側壁上端
１２ｂ…鉤形連係部
１２ｄ…凹部
１３…育成材
１４…脚部
１００…植物
７０…貯水トレー
８０…植栽コンテナ
１１０…緑化ユニット
Ｂ…非緑化領域
Ｇ…人工地盤
１…緑化領域仕切構造
Ｃ…仕切部
２０…仕切部材
２１…仕切基部
２２…仕切側部
２３…仕切上部
２４…突当部
３０…通水孔
４０…風規制部
４１…風規制側部
４２…風規制上部
１４０…風規制部
１４３…風規制アーチ部
２４０…風規制部
２４３…風規制斜片部
３４０…風規制部
４４０…風規制部
４４１…風規制側部
５４０…風規制部
５４１…風規制側部
５４１ａ…風減衰孔
６４０…風規制部
６４４…風規制柱部
７４０Ａ…風規制部
７４２…風規制上部
７４３ａ…風規制側部
７４０Ｂ…風規制部
７４３ｂ…風規制側部
７４３ｂ１…スリット部
１２０…仕切部材
１３０…切り欠き
１３０ａ…奥行部分
１３０ｂ…開口部分
２２０…仕切部材
２２２…仕切側部
２２２ａ…上壁部
２２２ｂ…側壁部
２２２ｃ…側壁部
２３０…スリット
８４０…風規制部
８４０ａ…脚片
８４０ｂ…第１風規制片
８４０ｃ…第２風規制片
３２０…仕切部材
３２２（３２２ａ、３２２ｂ）…仕切側部
３２３…仕切上部
３２５（３２５ａ、３２５ｂ）…脚片
３３０（３３０ａ、３３０ｂ）…通水孔
４２０…仕切部材
４２２…仕切側部
４２３…仕切上部
４３０…隙間（通水部）
９４０…風規制部
２…緑化領域仕切構造
５２０…仕切部材
２５、２５ａ、２５ｂ…通気孔
２６…庇部
【図１】
2019157339.tif 000003
【図２】
2019157339.tif 000004
【図３】
2019157339.tif 000005
【図４】
2019157339.tif 000006
【図５】
2019157339.tif 000007
【図６】
2019157339.tif 000008
【図７】
2019157339.tif 000009
【図８】
2019157339.tif 000010